(57)【要約】  【課題】被着体に一旦貼り付けたラベルから電子部品を露出させることなくＲＦＩＤを容易に破壊することができ、被着体の美観も損なわず、ＲＦＩＤの破壊後にもラベルとしての本来的な機能を残存させることが可能なＲＦＩＤ粘着ラベルを得る。  【解決手段】一方表面をラベル面２１ａとした基材シート２１と、その反ラベル面に固着したＲＦＩＤのインレイ１１とからなるＲＦＩＤ粘着ラベル１において、インレイ１１の基材シート２１と反対側を向く表面の一部領域を、粘着剤６１を塗布などした粘着領域Ｙとし、この粘着領域Ｙを除く領域を、インレイ１１を横断などする方向に帯状をなし且つ粘着性を有しない非粘着領域Ｘとし、インレイ１１における非粘着領域Ｘの周縁部に、非粘着領域Ｘの延伸方向に延び基材シート２１の周縁部に達する少なくとも一対の切り込み線１１ａ等からなる切り込み部を設けた。  【選択図】図１
2007041423.tif 000002
【特許請求の範囲】
【請求項１】
一方表面をラベル面とした基材シートと、前記基材シートの平面大きさと同一以下の平面大きさを有し且つ前記基材シートの反ラベル面に固着したＲＦＩＤのインレイとからなるＲＦＩＤ粘着ラベルであって、
前記インレイの前記基材シートとは反対側を向く表面の一部領域を、粘着剤を塗布又は両面粘着テープを貼着した粘着領域とするとともに、前記粘着領域を除く領域を、インレイを横断又は縦断する方向に帯状をなし且つ粘着性を有しない非粘着領域とし、
前記インレイにおける非粘着領域の周縁部に、前記非粘着領域の延伸方向に延び前記基材シートの周縁部に達する少なくとも一対の切り込み部を設けたＲＦＩＤ粘着ラベル。
【請求項２】
請求項１記載のＲＦＩＤ粘着ラベルであって、
前記基材シートの周縁部に、前記インレイの切り込み部に対向する切り込み部を形成した請求項１記載のＲＦＩＤ粘着ラベル。
【請求項３】
請求項１乃至２いずれか記載のＲＦＩＤ粘着ラベルであって、
前記インレイの前記基材シートとは反対側を向く表面の全域に粘着剤を塗布又は両面粘着テープを貼着するとともに、前記粘着剤又は両面粘着テープに前記インレイを横断又は縦断する方向に帯状をなす台紙を貼着することにより、前記非粘着領域を形成し、
前記インレイに設ける前記切り込み部を、前記台紙の長手輪郭線に一致させた請求項１乃至２いずれか記載のＲＦＩＤ粘着ラベル。
【請求項４】
請求項３記載のＲＦＩＤ粘着ラベルであって、
前記台紙のうち前記インレイを向く面は、前記粘着剤又は両面粘着テープに固着した請求項３記載のＲＦＩＤ粘着ラベル。
【請求項５】
請求項３乃至４いずれか記載のＲＦＩＤ粘着ラベルであって、
前記台紙に、前記一対の切り込み部に沿って帯状に前記基材シートの本体部から突出するツマミ部を形成した請求項３乃至４いずれか記載のＲＦＩＤ粘着ラベル。
【請求項６】
請求項５記載のＲＦＩＤ粘着ラベルであって、
前記基材シートに前記台紙のツマミ部に対向するツマミ部を形成し、前記２つのツマミ部を固着した請求項５記載のＲＦＩＤ粘着ラベル。
【請求項７】
請求項１乃至６いずれか記載のＲＦＩＤ粘着ラベルであって、
前記インレイの平面大きさは、前記基材シートの平面大きさよりも小さく、
前記基材シートは前記インレイの一表面全域を被覆して前記インレイを固着しており、
前記基材シートにおいて前記インレイの切り込み部が達する周縁部と対向する周縁部に、前記非粘着領域の延伸方向に延び前記基材シートの輪郭線に達する一対の切り込み部を設けた請求項１乃至６いずれか記載のＲＦＩＤ粘着ラベル。
【発明の詳細な説明】
【技術分野】
【０００１】
本発明は、ＲＦＩＤを含む粘着ラベルに関するものである。より詳しくは、一旦被着体に貼り付けた後に、インレイを部分的に破壊することでＲＦＩＤの機能を失わせるようにしたＲＦＩＤを含む粘着ラベルに関するものである。
【背景技術】
【０００２】
ＲＦＩＤは、ＩＣタグ、ＲＦタグ、無線タグ、電子タグなどとも呼ばれるもので、これを貼り付けなどされた物品等と、その物品等に関する情報とを一体化させる目的で使用される。インレイとは、ＰＥＴなどの基材フィルム上にアンテナとアンテナに連結されたＩＣチップが固定されたＲＦＩＤの回路単位をいう。
【０００３】
ＲＦＩＤは、これを貼り付けなどされた物品等の個体特定情報を記録することができ、この個体特定情報を物品等の信憑性を保証する情報（以下、セキュリティ情報と呼ぶことがある）として用いることも可能である。ＲＦＩＤをセキュリティ情報記録手段として用いる場合には、被着体とＲＦＩＤ内の記録情報が一致していることが不可欠である。このため、一度使用したＲＦＩＤは他の物品に使用できないようにすることが好ましい。
【０００４】
従来、再使用防止ＲＦＩＤとして、基材フィルム上にアンテナ、ＩＣチップ等を固着し、そのアンテナ、ＩＣチップ等の上に強力な接着層を形成したＲＦＩＤ粘着ラベルが知られている。このものは、ラベルをいったん物品に貼り付けた後に剥離すると、基材フィルムのみが剥離され、アンテナなどが物品上に貼着状態で残置されてＲＦＩＤが破壊されるように構成されている。
【特許文献１】特開２００５−１１３３０公報
【発明の開示】
【発明が解決しようとする課題】
【０００５】
上述のような従来の再使用防止ＲＦＩＤは、被着体への貼り付け後に剥離すると、アンテナ、ＩＣチップ等電子部品の一部が露出した状態で被着体に残存するものであるため、剥離後の被着体は美観が損なわれることがある。また、ＲＦＩＤを上述のように破壊可能とするためには、少なくとも異なる粘着強度の２種類の粘着剤を用いる必要がある。さらに、このようなＲＦＩＤは、ラベルの最表面に印刷面又は記入面が設定された紙製フィルムを設けた態様で用いられることがあるが、従来の再使用防止ＲＦＩＤのように最表面の層を全て剥がしてしまうと、その被着体に元々どのようなラベルが貼着されていたのか分からなくなり、ラベルとしての本来的な機能まで喪失してしまうことになる。
【０００６】
そこで本発明は、被着体に一旦貼り付けたラベルから電子部品を露出させることなくＲＦＩＤを容易に破壊することができ、被着体の美観も損なわず、ＲＦＩＤの破壊後にもラベルとしての本来的な機能を残存させることが可能なＲＦＩＤ粘着ラベルを得ることを課題とする。
【０００７】
本発明のその他の課題は、以下の本発明の説明により明らかになる。
【課題を解決するための手段】
【０００８】
上記の課題を解決するため、本発明の一の態様にかかるＲＦＩＤ粘着ラベルは、一方表面をラベル面とした基材シートと、前記基材シートの平面大きさと同一以下の平面大きさを有し且つ前記基材シートの反ラベル面に固着したＲＦＩＤのインレイとからなるＲＦＩＤ粘着ラベルであって、前記インレイの前記基材シートとは反対側を向く表面の一部領域を、粘着剤を塗布又は両面粘着テープを貼着した粘着領域とするとともに、前記粘着領域を除く領域を、インレイを横断又は縦断する方向に帯状をなし且つ粘着性を有しない非粘着領域とし、前記インレイにおける非粘着領域の周縁部に、前記非粘着領域の延伸方向に延び前記基材シートの周縁部に達する少なくとも一対の切り込み部を設けた。
【０００９】
本ＲＦＩＤ粘着ラベルは、少なくともインレイの粘着領域に塗布された粘着剤又は両面粘着テープによって被着体に貼り付けられ、又は基材シートがインレイよりも大きい場合にはインレイの粘着領域に加えて前記基材シートの反ラベル面のうち前記インレイを固着していない領域に塗布される粘着剤によっても被着体に貼り付けられる。このように被着体に貼り付けた本ＲＦＩＤ粘着ラベルでは、インレイの非粘着領域では被着物に貼り付けられていない状態、換言すれば被着物から「浮いた」状態となっている。
【００１０】
本ラベルを被着物に貼り付けた状態でインレイを破壊する操作は、以下のように行う。インレイの周縁部に設けた切り込み部を切っ掛けにして、当該インレイを基材シートと共に被着物から離間させる方向へ引っ張る。すると、インレイのうち被着物に貼着されていない部分である非粘着領域において切り込み部からインレイの内側に向かって切断部が延長し、この非粘着領域に沿ってインレイ及び基材シートが部分的に剥離される。
その結果、インレイのアンテナ等の回路部が破壊され、ＲＦＩＤは再使用不可能な状態となる。しかしながら、破壊後のインレイのうち被着物に残存している部分は依然として基材シートに覆われたままであるため、従来の再使用防止ＲＦＩＤのように電子部品が露出することがなく、異なる２種類以上の粘着強度の粘着剤を用いる必要もない。
非粘着領域は、インレイを横断又は縦断する帯状であればその幅は任意に設定することができ、仮にその幅が十分に狭ければ、基材シートのうちインレイと一緒に破断される領域も小さいことになり、基材シートのラベル面への印刷・記入事項をＲＦＩＤの破壊後も十分に判読することが可能となる。
【００１１】
帯状の非粘着領域がインレイの中央位置に形成され、その結果、非粘着領域の両側に粘着領域があってもよい。あるいは帯状の非粘着領域がインレイの一方周縁部に偏った位置に形成され、その結果、非粘着領域の片側にのみ粘着領域があってもよい。非粘着領域がインレイの一方周縁部に偏った位置に形成されると、貼り付けられたラベルの片側が浮いた状態となる。ラベルの貼着が確実になる点から、非粘着領域がインレイの中央位置に形成されるほうが好ましい。
インレイが長方形である場合には、非粘着領域は、典型的には、インレイを横断又は縦断（すなわち、帯状の非粘着領域が、インレイの長辺または短辺と平行に形成される）する。しかし、方形のインレイの場合に、帯状の非粘着領域が、インレイの一辺と任意の角度で交わってもよい。また、円形、楕円形のインレイの場合には、帯状の非粘着領域は、インレイの弦であってもよい。
【００１２】
本発明の好ましい実施態様にかかるＲＦＩＤ粘着ラベルは、前記基材シートの周縁部に、前記インレイの切り込み部に対向する切り込み部を形成してもよい。これにより、非粘着領域を被着物から引き剥がす際に、インレイと共に基材シートも破断し易くなり、また被着物に貼着した状態のＲＦＩＤ粘着ラベルにおいて、ＲＦＩＤ破壊の切っ掛けとなる切り込み部が視認されやすくなる。
「対向」とは、インレイの切り込み部と基材シートの切り込み部が一部で共通することを意味する。切り込み部の長さは、インレイの切り込み部と基材シートの切り込み部が異なってもよく、同じでもよい。従って、対向には、インレイの切り込み部と基材シートの切り込み部が完全に共通することをも包含する。
【００１３】
本発明の好ましい実施態様にかかるＲＦＩＤ粘着ラベルは、上述したＲＦＩＤ粘着ラベルのいずれかの態様において、前記インレイの前記基材シートとは反対側を向く表面の全域に粘着剤を塗布又は両面粘着テープを貼着するとともに、前記粘着剤又は両面粘着テープに前記インレイを横断又は縦断する方向に帯状をなす台紙を貼着することにより、前記非粘着領域を形成し、前記インレイに設ける前記切り込み部を、前記台紙の長手輪郭線に一致させたものとすることができる。この台紙により、インレイの非粘着領域を簡易に形成することができ、さらには台紙に沿ってインレイを容易に破断することができる。台紙の長手輪郭線とは、帯状をなす台紙の輪郭線の中で、長手方向に延びる輪郭線を意味する。
【００１４】
このような態様においてさらに好ましくは、前記台紙のうち前記インレイを向く面は、前記粘着剤又は両面粘着テープに固着しておくことができる。特に使用前のＲＦＩＤ粘着ラベルは、個別のラベルよりも大きな剥離シート（又は剥離紙）に貼り付けられていることが多いが、使用時にラベルを剥がし易いように剥離シートのラベル側の面にはシリコン素材等の剥離処理が施された層が形成されていてラベルの粘着層と緩く貼り合わされているのが通例である。そこで、前記インレイの粘着領域の一部に剥離処理を施さずに前記台紙を固着して非粘着領域を形成すれば、簡易に非粘着領域を構成することができるようになる。
【００１５】
上記のように非粘着領域として台紙を設ける本発明のＲＦＩＤ粘着ラベルのより好ましい実施態様としては、前記台紙に、前記一対の切り込み部に沿って帯状に前記基材シートの本体部から突出するツマミ部を形成してもよい。これにより、ＲＦＩＤ破壊の目印を明確にするとともに、その破壊作業が行いやすくなる。
【００１６】
本発明のＲＦＩＤ粘着ラベルのさらに好ましい実施態様としては、前記基材シートに前記台紙のツマミ部に対向するツマミ部を形成し、前記２つのツマミ部を固着してもよい。これにより、ＲＦＩＤ破壊の目印をより一層明確にするとともに、その破壊作業がより一層行いやすくなる。ツマミ部が対向するとは、台紙に設けるツマミ部と基材シートに設けるツマミ部が一部重なり合うことをいう。より好ましい対向状態は、両ツマミ部が完全に重なり合うことである。
【００１７】
本発明のさらに好ましい実施態様にかかるＲＦＩＤ粘着ラベルは、前記インレイの平面大きさは、前記基材シートの平面大きさよりも小さく、前記基材シートは前記インレイの一表面全域を被覆して前記インレイを固着しており、前記基材シートにおいて前記インレイの切り込み部が達する周縁部と対向する周縁部に、前記非粘着領域の延伸方向に延び前記基材シートの輪郭線に達する一対の切り込み部を設けてもよい。
本ＲＦＩＤ粘着ラベルは、基材シートの対向する周縁部にそれぞれ一対の切り込みがもうけられ、切り込み部の一方から他方へ、帯状をなすインレイ及び基材シートの破断をより簡便に行うことができる。
【００１８】
以上説明した本発明の態様、好ましい実施態様及びこれらに含まれる構成要素は可能な限り組み合わせて実施することができる。
【発明の効果】
【００１９】
本発明によれば、インレイに帯状の非粘着領域を設けるとともに、この非粘着領域に切り込み部を設けるという単純な加工を行うのみで、不要時にはインレイの非粘着領域を簡単に切り離してＲＦＩＤを破壊し使用不能とすることが可能なＲＦＩＤ粘着ラベルを得ることができる。このようなＲＦＩＤ粘着ラベルを作るには、従来のように粘着強度の異なる２種類の粘着剤を用いる必要がなく、破壊後もＲＦＩＤの電子部品を被着物上で露出させることがなく、またラベルとしての本来的な機能を残存させることも可能である。
【発明を実施するための最良の形態】
【００２０】
以下に図面を参照して、本発明にかかるＲＦＩＤ粘着ラベルをさらに説明する。この発明の実施例に記載されている部材や部分の寸法、材質、形状、その相対位置などは、特に特定的な記載のない限りは、この発明の範囲をそれらのみに限定する趣旨のものではなく、単なる説明例に過ぎない。
【実施例１】
【００２１】
図１は、ＲＦＩＤ粘着ラベル（１）を粘着領域を有する面（被着物に貼着される側の面）側から見た平面説明図であり、図２は同ＲＦＩＤ粘着ラベル（１）をラベル面側から見た平面説明図である。図３は、図１においてＲＦＩＤ粘着ラベル（１）１をＡ−Ａ線で破断した状態を示す断面説明図である。このＲＦＩＤ粘着ラベル（１）１は、ＲＦＩＤのインレイ（１）１１と、基材シート（１）２１から主として構成される平面視概略長方形状をなすものである。本実施例では基材シート（１）２１の平面大きさは、インレイ（１）１１の平面大きさよりも一回り大きく、インレイ（１）１１は、基材シート（１）２１の周縁部の内側に配置され固着されている。なお、これらの図において、ＲＦＩＤ粘着ラベル（１）１の外側の領域に想像線で示した部分は、本ＲＦＩＤ粘着ラベル（１）１が使用前に貼り付けられている剥離紙（所謂セパレータ）（１）３１と、基材シート（１）２１の余白部分（１）４１である。
【００２２】
基材シート（１）２１は、一方面をラベル面（１）２１ａとし、他方面である反ラベル面（１）２１ｂにインレイ（１）１１を固着させたシート状をなすものである。基材シート（１）２１の材質に特に制限はなく、紙、合成紙、ポリエチレンテレフタレート（ＰＥＴ）、ポリオレフィン系、アクリル系、ポリウレタン系などの合成樹脂、ポリ乳酸などの生分解性樹脂などを使用することができるが、本実施例には特に容易に引き裂くことができる紙又は合成紙などが適している。なお、前記余白部分（１）４１の素材は基材シート（１）２１の素材と同一であり、共通の１枚のシートにラベル面（１）２１ａ側からカッターの刃を入れて基材シート（１）２１と余白部分（１）４１とに分離するようにされている。
【００２３】
この基材シート（１）２１のラベル面（１）２１ａには、本ＲＦＩＤ粘着ラベル（１）１が貼り付けられる物品の商品名や製造・販売会社等の所要事項を予め印刷しておくことができる。また、使用者が必要に応じて筆記具で必要事項を記入することができるようにしてもよい。反ラベル面（１）２１ｂには、その全面に粘着剤（１）５１が塗布されてインレイ（１）１１の一方面全域を固着させている。基材シート（１）２１とインレイ（１）１１との固着には、接着剤や粘着剤の使用等、公知の固着手段を適用できる。
【００２４】
インレイ（１）１１の基材シート（１）１とは反対側を向く面の全面には粘着剤（１）６１が塗布される。この粘着剤（１）６１には、接着剤や粘着剤の使用等、公知の固着手段を適用できるが、本実施例ではホットメルト系の粘着剤を使用している。このような粘着剤（１）６１の塗布は、少なくともインレイ（１）１１の全面を覆うことが好ましいが、インレイ（１）１１の領域をはみ出して基材シート（１）２１に塗布された粘着剤（１）５１をも覆うように塗布することがさらに好ましい。そして、インレイ（１）１１を横断するように、細長い帯状の台紙（１）７１を粘着剤（１）６１に固着することで、この台紙（１）７１が貼られた領域を粘着剤（１）６１が露出しない非粘着領域（１）Ｘとしている。他方、台紙（１）７１で覆われない領域は、粘着剤（１）６１が露出した粘着領域（１）Ｙである。通常、ＲＦＩＤ粘着ラベル（１）１の使用前には、この粘着領域（１）Ｙに剥離紙（１）３１のシリコン加工等が施された剥離処理面（１）３１ａが貼着されており、使用時にはこの粘着領域（１）Ｙにより本ＲＦＩＤ粘着ラベル（１）１が被着物に貼着される。
【００２５】
台紙（１）７１は、粘着剤（１）６１に固着されるものであれば適宜の素材を適用できるが、例えば剥離紙（１）３１の一部を裏返して使用することが経済的である。この台紙（１）７１は、本実施例ではＲＦＩＤ粘着ラベル（１）１の長手方向全域に亘って設けられる。すなわちＲＦＩＤ粘着ラベル（１）１の使用前の状態では、剥離紙（１）３１が台紙（１）７１で分断されたような格好となる。台紙（１）７１の幅寸法は、インレイ（１）１１のアンテナ１１ｂ等を部分的に横断する範囲で適宜設定できるが、本実施例では基材シート（１）２１の短辺側の寸法約４０ｍｍに対して、台紙（１）７１をその中央部に幅約５ｍｍで配している。
台紙（１）７１の配置方向は、インレイ（１）１１の短辺に平行な方向であってもよい。
【００２６】
そして、インレイ（１）１１の周縁部のうち、台紙（１）７１によって形成された非粘着領域（１）Ｘに、当該台紙（１）７１の長手輪郭線に沿って、一対の切り込み部である一対の切り込み線（１）１１ａを設けている。この切り込み線（１）１１ａは、インレイ（１）１１の輪郭線から開始され、インレイの内側に向かい、アンテナ（１）１１ｂに接触しない範囲で適宜の長さで設けることができる。例えばインレイ（１）１１の輪郭線からアンテナ（１）１１ｂまでの距離が２ｍｍ程度であれば、切り込み線（１）１１ａの長さをその半分の１ｍｍ程度とすることが好ましい。
【００２７】
また、基材シート（１）２１にも、インレイ（１）１１の切り込み線（１）１１ａに対向する切り込み部として、一対の切り込み線（１）２１ｃを設けており、この切り込み線（１）２１ｃは、切り込み線（１）１１ａから連続して基材シート（１）２１の輪郭線にまで達している。すなわち、基材シート（１）の切り込み線（１）２１ｃはインレイ（１）の切り込み線（１）１１ａよりも長く、切り込み線（１）２１ｃはインレイ（１）の切り込み線（１）１１ａと一部分が一致している。切り込み部の形状は、上述のような切り込み線に限定されるものではなく、インレイ（１）１１の切断の開始点となるものであればよい。例えば切り込み部の他の形状として、三角切り込みを例示することができる。切り込み部の数は、一対以上であればよく、３以上の適宜の数設けてもよい。
【００２８】
さらに、台紙（１）７１は切り込み線（１）１１ａ、２１ｃに沿って基材シート（１）２１の本体部分から外方へ突出させて、その突出部位をツマミ部（１）７１ａとしており、同様に基材シート（１）２１も台紙（１）７１に対向して外方へ部分的に突出させてツマミ部（１）２１ｅとし、両ツマミ部（１）７１ａ、２１ｅは粘着剤（１）５１、６１により固着されている。これらツマミ部（１）７１ａ、２１ｅの基材シート（１）２１の本体部分からの突出長さは、本ＲＦＩＤ粘着ラベル（１）１の使用の妨げとならず、使用者が指で摘むことが可能な範囲で適宜設定することができるが、本実施例では本体部分の長辺寸法約１００ｍｍに対して、約５ｍｍとしている。本実施例では、台紙（１）のツマミ部（１）７１ａと基材シート（１）２１のツマミ部（１）２１ｅは外形が一致しており、完全に重なり合っている。しかし、両者のツマミ部７１ａと２１ｅの大きさに大小があっても差し支えない。なお、ツマミ部（１）７１ａ、２１ｅの端部は丸み付け加工を施しておくと、使用者が指で摘みやすくなって本ＲＦＩＤ粘着ラベル（１）１の使用感を向上することができる。
【００２９】
また、基材シート（１）２１において、ツマミ部（１）２１ｅを設けた端部とは反対側の端部にも、切り込み部として切り込み線（１）２１ｄを対にして設けている。当該切り込み線（１）２１ｄも、台紙（１）７１の輪郭線に沿って形成される。このように切り込み線（１）２１ｄを設けるのは、インレイ（１）１１を含む本ＲＦＩＤ粘着ラベル（１）１の切断の終点を明確に形成しておくためである。切り込み線（１）２１ｄの長さは、本ＲＦＩＤ粘着ラベル（１）１のラベルとしての機能を損なわず、且つその先端がインレイ（１）１１若しくはインレイ（１）１１のアンテナ（１）１１ｂに達しない範囲で適宜に設定できるが、本実施例では基材シート（１）２１の長辺寸法約１００ｍｍに対して約１５ｍｍとしている。
【００３０】
インレイ（１）１１は、基材フィルム（例えば厚さ３８μｍのＰＥＴフィルム）上に接着剤を塗布し、アルミニウムを含むインキを用いてスクリーン印刷により渦巻き状のアンテナ（１）１１ｂを形成する。さらに当該アンテナ（１）１１ｂにＩＣチップを導電的に接続・固定したものである。インレイ（１）１１は上記基本的構成に、さらに片面及び／又は両面に、合成紙、ＥＶＡ、ＰＥＴシートなどが積層されていても、切り込み部からの引き裂きが可能であれば、本発明のＲＦＩＤ粘着ラベルのインレイとして使用可能である。しかしながら、引き裂きによる破壊の確実性の観点から、基材フィルムと電気回路部分のみからなるインレイであることが好ましい。
【００３１】
なおインレイ（１）１１は、その他の材料、製造方法等で製造されたものでもよい。例えば基材フィルムは、ポリイミドフィルム、ＰＢＴフィルムであってもよい。基材フィルムの厚さに特に制限はないが、通常１０μｍ〜１００μｍ、好ましくは２０μｍ〜７０μｍである。アンテナの形状は、例えばダイポールアンテナであってもよい。アンテナの材質は、例えば銅であってもよい。銅箔のアンテナは、基材フィルムの上に銅箔層を形成し、レジストを用いてエッチングにより形成してもよく、アンテナ形状の銅箔をプレスなどにより基材フィルム上に貼り付けてもよい。
【００３２】
次に、本実施例のＲＦＩＤ粘着ラベル（１）１の使用方法を、図４の使用例説明図を参照して説明する。このＲＦＩＤ粘着ラベル（１）１は、剥離紙（１）３１から剥がした後、粘着領域（１）Ｙに露出している粘着剤（１）６１によって被着体９に貼り付けられる。これにより、被着体９の物品としての情報とＲＦＩＤ粘着ラベル（１）１の電子的情報とが１対１で対応づけられるが、このような対応付けが不要となった場合は、ツマミ部（１）７１ａ、２１ｅを使用者が指で摘んで被着体９から離間する方向へ引っ張る。
【００３３】
すると、切り込み線（１）１１ａ、２１ｃを挟んでその両側に方向・強度の異なる力が作用して、インレイ（１）１１及び基材シート（１）２１に、台紙（１）７１の長手輪郭線に沿って切り込み線が延長することで、インレイ（１）１１のアンテナ（１）１１ｂ等の回路部が破壊され、ＲＦＩＤとしての機能を喪失する。そのまま引っ張りを続けて切断線が反対側の切り込み線（１）２１ｄに達すると、台紙（１）７１とインレイ（１）１１及び基材シート（１）２１の一部とが一体の帯状となって、ＲＦＩＤ粘着ラベル（１）１から切り離される。なお、切り込み線１１ａのわずかな距離の延長によりアンテナ等が切断されることによりＲＦＩＤとしての機能を喪失するので、必ずしも、切断線が反対側の切り込み線（１）２１ｄに達する必要はない。例えば、何らかの原因で、当該帯状部分が途中で切断されても、ＲＦＩＤ機能の破壊が達成される。
【００３４】
このようにＲＦＩＤ粘着ラベル（１）１を破壊してもその一部は被着体９に貼り付けられたまま残存するが、インレイ（１）１１のアンテナ（１）１１ｂ等の回路部等、電子部品が露出することはない。また、切り離される帯状の部分が、基材シート（１）２１のラベル面（１）２１ａの平面大きさよりも十分に小さければ、このラベル面（１）２１ａに印刷又は記入された事項が判読できる可能性があるので、ＲＦＩＤの破壊前にどのようなラベルが被着体９に貼られていたかを破壊後にも把握することができる。
【００３５】
以上説明したＲＦＩＤ粘着ラベル（１）１において、その基材シートに第２の切り込み部と、インレイに当該第２の切り込み部に対向する第２の切り込み部を設けてもよい。この第２の切り込み部は、その延長線が、基材シート（１）２１の帯状の非粘着領域の長手方向と一定角度で交差する。一定角度（２つの直線が作る２つの交角の中で値が小さい方）は０度以外のいかなる角度でもよいが、好ましくは、６０度から９０度であり、より好ましくは８０度から９０度である。
【００３６】
図１と図２を参照して、基材シート（１）２１に設ける第２の切り込み部である第２の切り込み線９１は、台紙７１の長手方向と交角９０度で交差する。また、インレイに設ける第２の切り込み部である第２の切り込み線９２は、第２の切り込み線９１と対向する。
第２の切り込み部を設けると、貼着されたＲＦＩＤ粘着ラベルが非粘着領域の長手方向と交差する方向から引き剥がされる場合であっても、インレイの破壊が行われるために、インレイの破壊がより確実となる効果がある。
【実施例２】
【００３７】
図５は、ＲＦＩＤ粘着ラベル（２）を図３に対応して示した断面説明図である。本ＲＦＩＤ粘着ラベル（２）２と実施例１のＲＦＩＤ粘着ラベル（１）１との違いは、粘着剤（１）６１を両面粘着テープ（２）６２に変更した点にあり、その他の構成、例えばインレイ（２）２２が粘着剤（２）５２で基材シート（２）２２に固着されている構成や、切り込み線（２）１２ａ、２２ｃが設けられている構成などについては同様であるので説明を省略する。
【００３８】
両面粘着テープ（２）６２は、基材フィルム（２）６２ａの両面に粘着層（２）６２ｂ、６２ｃを有する公知のものを適宜採用することができる。例えば基材フィルム（２）６２ａには、厚さ１２μｍのＰＥＴ素材を適用することが、ＲＦＩＤ粘着ラベル（２）２の破壊の容易性の観点から適している。また破壊の容易性を確保するために、両面粘着テープ（２）６２の基材フィルム（２）６２ａには、切り込み線を設けておいてもよい。
【００３９】
この両面粘着テープ（２）６２は、インレイ（２）１２の全域を覆うように設けられ、基材シート（２）２２側からカッターの刃を入れることで、基材シート（２）２２とほぼ同じ平面大きさに形成される。そして、使用前に剥離紙（２）３２側を向く粘着層（２）６２ｃの中央部に、実施例１と同様の台紙（２）７２を固着することで、非粘着領域（２）Ｘを形成している。
【００４０】
このような構成のＲＦＩＤ粘着ラベル（２）２であっても、実施例１のＲＦＩＤ粘着ラベル（１）１と同様に用いることができ、その破壊の工程も同様に行うことができる。
【００４１】
以上のような実施例の他、本発明のＲＦＩＤ粘着ラベルの形状や具体的構成は適宜変更することが可能である。また各種粘着剤は、基材シートやインレイに対して全面に塗布したり、点状や縞状に塗布してもよく、両面粘着テープの粘着層の粘着剤についても同様とすることができる。さらに、上記実施例では、非粘着領域の形成のために、台紙を固着する構成を採用しているが、このような台紙を用いずに、インレイにおいて非粘着領域を形成すべき帯状の領域にのみ粘着剤を塗布しない構成や両面粘着テープを貼り付けない構成を採用することも可能である。
【産業上の利用可能性】
【００４２】
本発明にかかるＲＦＩＤ粘着ラベルは、たとえば商品の真実性、信憑性を保証するセキュリティ情報を記録するＲＦＩＤラベルとして利用することができる。
【図面の簡単な説明】
【００４３】
【図１】ＲＦＩＤ粘着ラベル（１）を粘着領域を有する面側から見た平面説明図である。
【図２】ＲＦＩＤ粘着ラベル（１）をラベル面側から見た平面説明図である。
【図３】ＲＦＩＤ粘着ラベル（１）を図１においてＡ−Ａ線で破断した断面説明図である。
【図４】ＲＦＩＤ粘着ラベル（１）の使用状態を示す説明図である。
【図５】ＲＦＩＤ粘着ラベル（２）を図３に対応させて示す断面説明図である。
【符号の説明】
【００４４】
１      ＲＦＩＤ粘着ラベル（１）
２      ＲＦＩＤ粘着ラベル（２）
９      被着物
１１    インレイ（１）
１１ａ  インレイの切り込み部である切り込み線（１）
１１ｂ  アンテナ（１）
１２    インレイ（２）
１２ａ  インレイの切り込み部である切り込み線（２）
２１    基材シート（１）
２１ａ  ラベル面（１）
２１ｂ  反ラベル面（１）
２１ｃ  基材シートの切り込み部である切り込み線（１）
２１ｄ  基材シートの切り込み部である切り込み線（１）
２１ｅ  ツマミ部（１）
２２    基材シート（２）
２２ｃ  基材シートの切り込み部である切り込み線（２）
【００４５】
３１    剥離紙（１）
３１ａ  剥離処理面（１）
３２    剥離紙（２）
４１    余白部分（１）
５１    粘着剤（１）
５２    粘着剤（２）
６１    粘着剤（１）
６２    両面粘着テープ（２）
６２ａ  基材フィルム（２）
６２ｂ  粘着層（２）
６２ｃ  粘着層（２）
７１    台紙（１）
７１ａ  ツマミ部（１）
７２    台紙（２）
９１    基材シートの第２の切り込み部である切り込み線
９２    インレイの第２の切り込み部である切り込み線
Ｘ      非粘着領域
Ｙ      粘着領域
【図１】
2007041423.tif 000003
【図２】
2007041423.tif 000004
【図３】
2007041423.tif 000005
【図４】
2007041423.tif 000006
【図５】
2007041423.tif 000007